(57)【要約】【課題】肩凝りの誘発を防げ、全体的に表に現われず、ベルトを要しないズボンにも適用可能で着脱の容易なズボンのずり落ち防止具を構成する。【解決手段】上横梁１０と、上横梁１０の両端寄りから直角方向に伸びる左右の支柱軸１１ａ，１１ｂと、支柱軸１１ａ，１１ｂの各軸端から内側方向に折れ曲がる支え軸１２ａ，１２ｂと、支柱軸１１ａ，１１ｂの軸線を両端の巻き環部１３ａ，１３ｂでスライド可能に抱えて支柱軸１１ａ，１１ｂの軸線間に橋絡する挟み桟１３とを備え、上着衣の布地を上横梁１０と挟み桟１３とで挟持する第１の把持部１と、各軸端の眼環部２０ａ，２０ｂ、２１ａ，２１ｂを支え軸１２ａ，１２ｂの軸線上に嵌め合わせて回転自在な略相似形のコ字状を呈する内外の挟み枠２０，２１を備え、ズボンの腰裏地を内外の挟み枠２０，２１で挟持する第２の把持部２とから組み立ててなる。【選択図】図１
2006045704.tif 000002
【特許請求の範囲】
【請求項１】
上着衣とズボンとの間に掛渡し装身するズボンのずり落ち防止具であって、上横梁と、上横梁の両端寄りから相平行する直角方向に伸びる左右の支柱軸と、支柱軸の各軸端から相対する内側方向に折れ曲がる支え軸と、支柱軸の軸線を両端の巻き環部でスライド可能に抱えて支柱軸の軸線間に橋絡する挟み桟とを備え、上着衣の布地をズボンの腰回り直上当りで上横梁と挟み桟とで挟持する第１の把持部と、支柱軸の軸線間に位置する略相似形のコの字状を呈し、各軸端の眼環部を支え軸の軸線上に嵌め合わせて回転自在な内外の挟み枠を備え、ズボンの腰裏地を上方に向く内外の挟み枠で挟持する第２の把持部とから組み立ててなることを特徴とするズボンのずり落ち防止具。
【請求項２】
挟み桟の板厚に略相応する間隔を保って下向きに張り出す前後の受け縁を上横梁に設け、挟み桟を支柱軸の縦中心線に沿ってスライド可能に橋絡し、上着衣の布地を受け縁の間隔内に嵌入する挟み桟で挟持する第１の把持部を組み付けてなることを特徴とする請求項１に記載のズボンのずり落ち防止具。
【請求項３】
滑止めリングを内外のいずれか一方の挟み枠の横軸部に嵌着し、他方の挟み枠の横軸部を滑止めリングの円周面と摺接可能に折り曲げ、ズボンの腰裏地を滑止めリングの円周面と挟み枠の横軸部とで挟持する第２の把持部を組み付けてなることを特徴とする請求項１に記載のズボンのずり落ち防止具。
【発明の詳細な説明】
【技術分野】
【０００１】
本発明は、ワイシャツ，ポロシャツ等の上着衣とズボンとの間に掛渡し装身するズボンのずり落ち防止具に関するものである。
【背景技術】
【０００２】
一般に、ズボンのずり落ち防止具としてはズボンの上端縁をくわえ込む鰐口クリップを肩掛けバンドのベルト端に取り付けたサスペンダーが用いられている。
【０００３】
そのサスペンダーは、ズボンを両肩に回す肩掛けバンドで吊上げ支持するものであるから、肩凝りを誘発し易い。また、肩掛けバンドを上着衣の外側に掛けるもので、背広等の外着衣を脱ぐと、肩掛けバンドを含む全体が表に現れるものであるため、装飾的な嗜好性から好まれないこともある。
【０００４】
本願出願人は、肩凝りの誘発を防げると共に、略表に現われない装身具として二個組で腹部両脇に取り付けることから、ワイシャツ，ポロシャツ等の上着衣とズボンのベルトとの間に掛渡し装身するズボンのずり落ち防止具を先に提案した（特許文献１）。
【０００５】
そのズボンのずり落ち防止具は、上横梁と、上横梁の両端寄りから相平行する直角方向に伸びる左右の支柱軸と、支柱軸の軸線を両端の巻き環部でスライド可能に抱えて支柱軸の軸線間に橋絡する挟み桟と、支柱軸の各軸端をＵ字状に折り曲げたフックとを備え、上着衣の布地をズボンの腰回り直上当りで上横梁と挟み桟とで挟持すると共に、フックをベルトの内側から下部縁に掛け止めてズボンを吊るよう構成されている。
【０００６】
そのズボンのずり落ち防止具では、肩に掛ける部材がないから肩凝りの誘発を防げると共に、上横梁，挟み桟が上着衣の布地で巻き込まれ、支柱軸がベルトの内側に挟み込まれるため、装身具として略表に現われない。唯、ベルトの下部縁に掛け止めるフックの先端が表に現われる。また、フックをズボン用のベルトに引っ掛けることから、ベルトの着用が必要となる。
【特許文献１】意匠登録第１１９４２７１号公報
【発明の開示】
【発明が解決しようとする課題】
【０００７】
本発明は、肩凝りの誘発を防げることは勿論、全体が装身具として表に現われず、ベルトを要しないズボンにも適用可能で着脱の容易なズボンのずり落ち防止具を提供することを目的とする。
【０００８】
それに加えて、装身状態を確実に保てるズボンのずり落ち防止具を提供することを目的とする。
【課題を解決するための手段】
【０００９】
本発明の請求項１は、上横梁と、上横梁の両端寄りから相平行する直角方向に伸びる左右の支柱軸と、支柱軸の各軸端から相対する内側方向に折れ曲がる支え軸と、支柱軸の軸線を両端の巻き環部でスライド可能に抱えて支柱軸の軸線間に橋絡する挟み桟とを備え、上着衣の布地をズボンの腰回り直上当りで上横梁と挟み桟とで挟持する第１の把持部と、支柱軸の軸線間に位置する略相似形のコの字状を呈し、各軸端の眼環部を支え軸の軸線上に嵌め合わせて回転自在な内外の挟み枠を備え、ズボンの腰裏地を上方に向く内外の挟み枠で挟持する第２の把持部とから組み立ててなることを特徴とする。
【００１０】
本発明の請求項２は、挟み桟の板厚に略相応する間隔を保って下向きに張り出す前後の受け縁を上横梁に設け、挟み桟を支柱軸の縦中心線に沿ってスライド可能に橋絡し、上着衣の布地を受け縁の間隔内に嵌入する挟み桟で挟持する第１の把持部を組み付けてなることを特徴とする。
【００１１】
本発明の請求項３は、滑止めリングを内外のいずれか一方の挟み枠の横軸部に嵌着し、他方の挟み枠の横軸部を滑止めリングの円周面と摺接可能に折り曲げ、ズボンの腰裏地を滑止めリングの円周面と挟み枠の横軸部とで挟持する第２の把持部を組み付けてなることを特徴とする。
【発明の効果】
【００１２】
本発明の請求項１に係るズボンのずり落ち防止具では、上着衣の布地をズボンの腰回り直上当りで上横梁と挟み桟とで挟持する第１の把持部と、ズボンの腰裏地を上方に向く内外の挟み枠で挟持する第２の把持部とから組み立てられているため、肩に掛ける部材がなく、肩凝りの誘発を防げると共に、上横梁，挟み桟が上着衣の布地で巻き込まれ、支柱軸，挟み枠を含む具全体がズボンの内側に隠れるところから、具全体が表に現われない。また、ズボンの腰裏地を内外の挟み枠で挟持するものであるため、ズボン用のベルトを着用していなくても用いられる。
【００１３】
本発明の請求項２に係るズボンのずり落ち防止具では、上着衣の布地を受け縁の間隔内に嵌入する挟み桟で挟持する第１の把持部を組み付けることから、第１の把持部が上着側から外れないよう上着衣の布地を確実に挟持できる。
【００１４】
本発明の請求項３に係るズボンのずり落ち防止具では、ズボンの腰裏地を滑止めリングの円周面と挟み枠の横軸部とで挟持する第２の把持部を組み付けことから、第２の把持部がズボン側から外れないようズボンの腰裏地を確実に挟持できる。
【発明を実施するための最良の形態】
【００１５】
図１は、ズボンのずり落ち防止具を展開状態で示す。このズボンのずり落ち防止具は、上着衣の布地を挟持する第１の把持部１と、ズボンの腰裏地を挟持する第２の把持部２とから組み立てられている。
【００１６】
第１の把持部１は、上横梁１０と、上横梁１０の両端寄りから相平行する直角方向に伸びる左右の支柱軸１１ａ，１１ｂと、支柱軸１１ａ，１１ｂの各軸端から相対する内側方向に折れ曲がる支え軸１２ａ，１２ｂと、支柱軸１１ａ，１１ｂの軸線を両端の巻き環部１３ａ，１３ｂでスライド可能に抱えて支柱軸１１ａ，１１ｂの軸線間に橋絡する挟み桟１３とを備えて構成されている。
【００１７】
上横梁１０は、４ｃｍ程度の横長寸法を有するもので、図２で示すように金属板材をプレス成形することから両端の閉塞した断面下向きＵ字状を呈する冠金状に形成されている。支柱軸１１ａ，１１ｂは、５ｃｍ程度の突出長さを持って上横梁１０から伸びるもので、軸相互を横軸部１１ｃで連続したコの字状に形成することにより支え軸１２ａ，１２ｂを含んで一本の金属棒材から折曲げ形成されている。
【００１８】
支柱軸１１ａ，１１ｂは、横軸部１１ｃを上横梁１０のＵ字内に嵌着することにより上横梁１０の両端寄りから直角方向に伸びるよう取り付けられている。挟み桟１３は、後述する受け縁の相対間隔と略相応する板厚を有する金属製の細帯板材でなり、両端側を湾曲曲げした円形状の巻き環部１３ａ，１３ｂにより支柱軸１１ａ，１１ｂの軸線を抱えることから支柱軸１１ａ，１１ｂの縦中心線に沿ってスライド可能に取り付けられている。
【００１９】
上述した構成に加えて、上横梁１０には挟み桟１３を嵌入可能な前後の受け縁１４ａ，１４ｂが設けられている。この受け縁１４ａ，１４ｂは、支柱軸１１ａ，１１ｂの相対間隔とほぼ同じ横長寸法を持って薄い金属板材を断面コの字状に折り曲げたものでなり、コの字の橋絡辺側から上横梁１０のＵ字内に嵌着することにより挟み桟１３の板厚に略相応する間隔を保って下向きに張り出すよう組み付けられている。
【００２０】
その受け縁１４ａ，１４ｂとしては、挟み桟１３の巻き環１３ａ，１３ｂと当接しないよう両端側が円弧状に切り欠かれている。また、突端辺は切断端をなくし且つ相対間隔に嵌入する挟み桟１３を強固に保持するよう玉縁状に折返し曲げされている。
【００２１】
第２の把持部２は、金属棒材から折曲げ形成した内外の挟み枠２０，２１で組み立てられている。その内外の挟み枠２０，２１は、支柱軸１１ａ，１１ｂの軸線間に位置する略相似形のコの字状を呈し、各軸端の眼環部２０ａ，２０ｂ、２１ａ，２１ｂを支え軸１２ａ，１２ｂの軸線上に嵌め合わせて眼環部２０ａ，２０ｂ、２１ａ，２１ｂで回転自在に組み付けられている。
【００２２】
第２の把持部２においては、滑止めリング２２が外挟み枠２０の横軸部２０ｃに嵌着させて備え付けられている。その滑止めリング２２は、ローレット切りを円周面に施したゴム弾性体で形成されている。滑止めリング２２に対しては、内挟み枠２１の横軸部２１ｃが滑止めリング２２の円周面と摺接するよう直角方向に張出し曲げされている。なお、滑止めリング，横軸部の直角曲げは内外の挟み枠２０，２１で逆に設けるようにできる。
【００２３】
このように構成するズボンのずり落ち防止具は、上着衣の布地をズボンの腰回り直上当りで第１の把持部１における上横梁１０と挟み桟１３とで挟持すると共に、ズボンの腰裏地を第２の把持部２における内外の挟み枠２０，２１で挟持することにより、上着衣とズボンとの間に掛渡し装身するよう用いられる。
【００２４】
その取付け手順を説明すると、まず、図３ａで示すように第２の把持部２を第１の把持部１から離間するよう眼環部２０ａ，２０ｂ、２１ａ，２１ｂで回転すると共に、挟み桟１３を支柱軸１１ａ，１１ｂの軸線上でスライド移動させて上横梁１０から離間する。次に、図３ｂ，図３ｃで示すように上着衣Ｙの布地をズボンの直上付近で摘んで上横梁１０の上から離間した挟み桟１３との間に巻き込む。
【００２５】
次いで、図３ｄで示すように挟み桟１３を上横梁１０と近接するよう支柱軸１１ａ，１１ｂの軸線上でスライド移動させ、挟み桟１３を受け縁１４ａ，１４ｂの間隔内に嵌入させる。この挟み桟１３の嵌入状態では、図３ｅで示すように挟み桟１３が上着衣Ｙの布地を受け縁１４ａ，１４ｂの間隔内に曲げ込んで上横梁１０とで確りと挟持する。
【００２６】
次に、着衣するズボンをスライドファスナで開いたまま、図４ａ，図４ｂで示すように第２の把持部２における内挟み枠２１をズボンＰの表地と腰裏地Ｕとの間に上向きに挿置する。次いで、図４ｃ，図４ｄで示すように内外の挟み枠２０，２１がズボンＰの腰裏地Ｕを滑止めリング２２の円周面と挟み枠２１の横軸部２１ｃとで挟持するよう相互を相対的に回転する。これにより、ズボンＰの腰裏地Ｕを内外の挟み枠２０，２１で確実に挟持できる。
【００２７】
このような手順により、上着衣の布地を第１の把持部１で挟持すると共に、ズボンの腰裏地を第２の把持部２で挟持することから、図５で示すように着用者の脇腹付近で左右対に装備すればよい。その後に、ズボンをスライドファスナで閉めて着衣すると、内外の挟み枠２０，２１が支柱軸１１ａ，１１ｂの軸線間に位置することにより、具全体が扁平状態に保たれる。
【００２８】
そのズボンのずり落ち防止具の装備状態では、肩に掛ける部材がないから、肩凝りの誘発を防げるばかりでなく、上横梁１０，挟み桟１３が上着衣Ｙの布地で巻き込まれ、支柱軸１１ａ，１１ｂ，挟み枠１３を含む具全体がズボンＰの内側に隠れるところから、具全体が表に現われない。また、ズボンＰの腰裏地Ｕを内外の挟み枠２０，２１で挟持するものであるため、ズボン用のベルトを着用していなくても用いられる。
【００２９】
上述した実施の形態では、冠金状の上横梁１０を備えて構成したが、支柱軸１１ａ，１１ｂ連続する横軸部１１ｃを上横梁として組み立てるようにできる。但し、冠金状の上横梁１０により組み立てれば体裁上良好なものに構成できると共に、上着衣Ｙの布地を受け縁１４ａ，１４ｂに嵌入する挟み桟１３で確りと挟持可能に構成できる。また、上述した手順は一例を示したものであり、第１の把持部１と第２の把持部とを逆の手順で組み付けるようにできる。
【図面の簡単な説明】
【００３０】
【図１】本発明に係るズボンのずり落ち防止具を展開状態で示す正面図である。
【図２】図１のズボンのずり落ち防止具をＡ−Ａ線で示す断面図である。
【図３ａ】図１のズボンずり落ち防止具を上着衣に組み付ける初期状態を示す手順説明図である。
【図３ｂ】図３ａに引き続いて上着衣の布地を第１の把持部に巻き込む工程を示す手順説明図である。
【図３ｃ】図３ｂと同じ工程を示す部分断面図である。
【図３ｄ】図３ｂに引き続いて上着衣の布地を第１の把持部で挟持する工程を示す手順説明図である。
【図３ｅ】図３ｂと同じ工程を示す部分断面図である。
【図４ａ】図３ｅに引き続いて第２の把持部をズボンの腰裏地に組み付ける工程を示す手順説明図である。
【図４ｂ】図４ａと同じ工程を示す部分断面図である。
【図４ｃ】図４ａに引き続いてズボンの腰裏地を第２の把持部で挟持する工程を示す手順説明図である。
【図４ｄ】図４ｃと同じ工程を示す部分断面図である。
【図５】本発明に係るズボンのずり落ち防止具を装身状態で示す説明図である。
【符号の説明】
【００３１】
１            第１の把持部
１０            上横梁
１１ａ，１１ｂ  支柱軸
１２ａ，１２ｂ  支え軸
１３            挟み桟
１３ａ，１３ｂ  挟み桟の巻き環部
１４ａ，１４ｂ  受け縁
２              第２の把持部
２０，２１      内外の挟み枠
２０ａ，２０ｂ  外挟み枠の眼環部
２１ａ，２１ｂ  内挟み枠の眼環部
２０ｃ          外挟み枠の横軸部
２１ｃ          内挟み枠の横軸部
Ｙ              上着衣
Ｐ              ズボン
Ｕ              ズボンの腰裏地
【図１】
2006045704.tif 000003
【図２】
2006045704.tif 000004
【図３ａ】
2006045704.tif 000005
【図３ｂ】
2006045704.tif 000006
【図３ｃ】
2006045704.tif 000007
【図３ｄ】
2006045704.tif 000008
【図３ｅ】
2006045704.tif 000009
【図４ａ】
2006045704.tif 000010
【図４ｂ】
2006045704.tif 000011
【図４ｃ】
2006045704.tif 000012
【図４ｄ】
2006045704.tif 000013
【図５】
2006045704.tif 000014